(57)【要約】  【課題】  調整する漆喰の色を変更する度に攪拌槽の洗浄処理を行う必要がなく、効率よく調整作業を行うことの可能な可搬式の攪拌装置を提供する。  【解決手段】  下端部にキャスター２を有する機台３にパン型状の攪拌槽４を搭載し、この攪拌槽４の上位に攪拌羽根９、１０を備え、この攪拌羽根９、１０の先端側を攪拌槽４の上部開口部より攪拌槽４内に臨ませる。また、攪拌槽４を機台３に対して着脱自在とする一方、攪拌槽４下位の機台３には少なくとも攪拌槽４を攪拌羽根９、１０の下端部よりも低い位置まで引き下ろせ、かつ水平方向へ引き出し可能な広さを有する開放スペース２５を設け、この開放スペース２５を介して攪拌槽４ごとの交換を可能とする。【選択図】  図１
2010005487.tif 000002
【特許請求の範囲】
【請求項１】
下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽下位の機台には少なくとも攪拌槽を前記攪拌羽根の下端部よりも低い位置まで引き下ろせ、かつ水平方向へ引き出し可能な広さを有する開放スペースを設けたことを特徴とする可搬式の攪拌装置。
【請求項２】
下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽の上位には略門形状の支持フレームを跨がせてその両端部を機台に着脱自在に係止させると共に、該支持フレームに前記攪拌羽根の回転軸を軸支させたことを特徴とする可搬式の攪拌装置。
【請求項３】
前記支持フレームの一端部を機台に着脱自在に係止させる一方、支持フレームの他端部を機台とヒンジ結合させたことを特徴とする請求項２記載の可搬式の攪拌装置。
【発明の詳細な説明】
【技術分野】
【０００１】
本発明は、各種材料を攪拌・混練処理する可搬式の攪拌装置に関し、特に攪拌槽を交換可能とした可搬式の攪拌装置に関する。
【背景技術】
【０００２】
家屋や建築物等の外壁用に使用される漆喰は、消石灰を主成分とする原料に所定量の水を加えて攪拌・混練し、ペースト状として壁面に塗り付けたり、吹き付けたりして施工される。この漆喰原料と水の攪拌・混練作業には、例えば、特許文献１、２に示されるミキサのような、構造がシンプルで装置コストも低廉な上、取り扱いも容易な可搬式の攪拌装置が用いられることが少なくない。
【０００３】
このような可搬式の攪拌装置にて漆喰を調整する場合、先ず、この攪拌装置を建築現場まで運び込み、機台上に搭載されたパン型状の攪拌槽内に漆喰原料を投入すると共に所定量の水を加えた後、駆動モータを駆動して攪拌槽内に軸支している攪拌羽根を回転駆動させ、所定時間攪拌・混練処理して所望の性状に調整している。
【０００４】
ところで、外壁用に使用される漆喰には着色が施されることも多く、その場合、攪拌槽内に投入した漆喰原料と水にベンガラ等の顔料を適宜量添加して攪拌・混練処理を行い、所望の色を呈する漆喰に調整している。
【特許文献１】実開平１−１６６５１０号公報
【特許文献２】特開平６−１６６０１９号公報
【発明の開示】
【発明が解決しようとする課題】
【０００５】
しかしながら、一現場において複数色の漆喰を併用する場合もあり、そのような場合にはそれぞれの色が混ざり合ったりしないように色を変更する度に攪拌槽内部をきれいに洗浄処理する必要があり、非常に煩わしく作業効率も悪い上、洗浄処理時に生じる廃液量も必然的に多くなってしまう。
【０００６】
本発明は上記の点に鑑み、調整する漆喰の色を変更する度に攪拌槽の洗浄処理を行う必要がなく、効率よく調整作業を行うことの可能な可搬式の攪拌装置を提供することを課題とする。
【課題を解決するための手段】
【０００７】
上記の課題を解決するために、本発明に係る請求項１記載の可搬式の攪拌装置では、下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽下位の機台には少なくとも攪拌槽を前記攪拌羽根の下端部よりも低い位置まで引き下ろせ、かつ水平方向へ引き出し可能な広さを有する開放スペースを設けたことを特徴としている。
【０００８】
また、請求項２記載の可搬式の攪拌装置では、下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽の上位には略門形状の支持フレームを跨がせてその両端部を機台に着脱自在に係止させると共に、該支持フレームに前記攪拌羽根の回転軸を軸支させたことを特徴としている。
【０００９】
また、請求項３記載の可搬式の攪拌装置では、前記支持フレームの一端部を機台に着脱自在に係止させる一方、支持フレームの他端部を機台とヒンジ結合させたことを特徴としている。
【発明の効果】
【００１０】
本発明に係る請求項１記載の可搬式の攪拌装置によれば、下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽下位の機台には少なくとも攪拌槽を前記攪拌羽根の下端部よりも低い位置まで引き下ろせ、かつ水平方向へ引き出し可能な広さを有する開放スペースを設けたので、攪拌羽根との干渉を避けながら攪拌槽ごと容易に交換させることが可能となり、調整する漆喰の色を変更する際には別途用意した攪拌槽と交換することにより、煩わしい攪拌槽の洗浄処理が不要となって効率よく調整作業を行うことができる。
【００１１】
また、請求項２記載の可搬式の攪拌装置によれば、下端部にキャスターを有する機台にパン型状の攪拌槽を搭載し、該攪拌槽の上位に攪拌羽根を備え、該攪拌羽根の先端側を前記攪拌槽の上部開口部より攪拌槽内に臨ませた可搬式の攪拌装置において、前記攪拌槽を機台に対して着脱自在とする一方、攪拌槽の上位には略門形状の支持フレームを跨がせてその両端部を機台に着脱自在に係止させると共に、該支持フレームに前記攪拌羽根の回転軸を軸支させたので、攪拌槽上位の攪拌羽根を支持フレームと一緒に取り外せて攪拌槽ごと容易に交換させることが可能となり、調整する漆喰の色を変更する際には別途用意した攪拌槽と交換することにより、煩わしい攪拌槽の洗浄処理が不要となって効率よく作業を行うことができる。
【００１２】
また、請求項３記載の可搬式の攪拌装置によれば、前記支持フレームの一端部を機台に着脱自在に係止させる一方、支持フレームの他端部を機台とヒンジ結合させたので、一人の作業員でも容易に支持フレームを回動させて攪拌槽上位から攪拌羽根を一時的に排除させることができ、攪拌槽を効率よく交換することができる。
【発明を実施するための最良の形態】
【００１３】
本発明に係る請求項１記載の可搬式の攪拌装置にあっては、キャスター付きの機台にパン型状の攪拌槽を搭載し、該攪拌槽の上位には攪拌羽根を備え、該攪拌羽根の先端側を攪拌槽の上部開口部より攪拌槽内に臨ませる。また、前記攪拌槽を機台に対して着脱自在とする一方、攪拌槽下位の機台には少なくとも攪拌槽を攪拌羽根の下端部よりも低い位置まで引き下ろせ、かつ水平方向へ引き出し可能な広さの開放スペースを設けている。また、前記攪拌槽と同構造の攪拌槽を別途用意している。
【００１４】
そして、建築現場等において上記構成の攪拌装置を使用して所望の色の漆喰を調整するときには、機台に搭載した攪拌槽内に漆喰原料と水、及び顔料を所定量ずつ投入した後、攪拌槽の上部開口部より攪拌槽内に臨ませた攪拌羽根を回転駆動させ、各材料を所定時間攪拌・混練処理して所望の色を呈する漆喰を調整する。
【００１５】
また、これとは異なる色の漆喰を調整する必要が生じた場合には、前記攪拌槽と機台との固定を解除した後、この攪拌槽を下方の機台に設けた開放スペースより引き下ろしていく。このとき、攪拌槽を開放スペースの下端部まで引き下ろせば、攪拌槽の上端縁が少なくとも攪拌羽根の下端部よりも低い位置となるように構成しており、そのまま水平方向へスライドさせれば何ら干渉するものもなく容易に機台側方へ引き出し可能としている。こうして、攪拌羽根のみを洗浄処理した後、前記手順で取り外した攪拌槽に代えて、別途用意しておいた攪拌槽を前記手順とは逆の手順にて機台下部の開放スペースを介して機台上部まで引き上げた後、固定手段にて機台と固定させる。そして、交換し終えた攪拌槽内に漆喰原料と水、及び別の色の顔料を投入し、前記同様に攪拌・混練処理を行って所望の色を呈する漆喰を調整する。
【００１６】
このように、攪拌槽の上位に攪拌羽根を備え、該攪拌羽根の先端側を攪拌槽の上部開口部より攪拌槽内に臨ませるタイプの攪拌装置を採用して、攪拌槽を攪拌羽根やその駆動機構等と一体構造とせずに別体とすると共に、攪拌槽を機台に対して着脱自在とし、かつ攪拌槽下位の機台には攪拌槽を通過させることが可能なだけの広さを有する開放スペースを設けたので、攪拌羽根やその駆動機構等の干渉を避けながら攪拌槽ごと交換させることが可能となり、建築現場において調整する漆喰の色を度々変更する必要が生じても、攪拌槽ごとの交換作業と、攪拌羽根のみの簡単な洗浄処理だけで済み、非常に煩わしい攪拌槽の洗浄処理から解放されて効率よく調整作業を行うことが可能となる。また、色別に攪拌槽を交換するので色が混じり合うといった不具合を極力抑えられ、調整する漆喰の品質向上が期待できる。更に、洗浄処理時に生じる廃液量を比較的抑えることができ、環境面においても好適である。
【００１７】
また、請求項２記載の可搬式の攪拌装置にあっては、機台に対して着脱自在に搭載した攪拌槽の上位に略門形状の支持フレームを跨がせてその両端部を機台に着脱自在に係止させると共に、該支持フレームに攪拌羽根の回転軸を軸支させて一体的に備えさせる。また、前記攪拌槽と同構造の攪拌槽を別途用意している。
【００１８】
そして、建築現場等において別の色の漆喰を調整する必要が生じた場合には、攪拌羽根やその駆動機構等と一体構造の支持フレームを機台から取り外し、攪拌槽の上位を開放させる。そして、この状態で攪拌槽と機台との固定を解除すれば、遮蔽物もなく攪拌槽ごと容易に機台から取り外すことが可能となる。こうして、支持フレームに軸支した攪拌羽根のみを洗浄処理した後、前記手順にて取り外した攪拌槽に代えて、別途用意しておいた攪拌槽を機台に載せて固定すると共に、前記支持フレームを攪拌槽の上位に再度取り付け、支持フレームと一体に備えた攪拌羽根の先端側を攪拌槽内に臨ませる。そして、交換し終えた攪拌槽内に漆喰原料と水、及び別の色の顔料を投入し、攪拌・混練処理を行って所望の色を呈する漆喰を調整する。
【００１９】
このように、攪拌槽の上位を跨がせるように支持フレームを備えると共に、該支持フレームに攪拌羽根やその駆動機構等を一体的に備え付けたので、支持フレームを機台から取り外せば攪拌槽の上位には一切の遮蔽物がない開放状態となって攪拌槽ごと容易に交換することが可能となり、前記同様に、調整する漆喰の色を度々変更する場合が生じても効率よく好適に対応することができる。
【００２０】
また、請求項３記載の可搬式の攪拌装置にあっては、支持フレームの一端部を機台に着脱自在に係止させる一方、支持フレームの他端部を機台とヒンジ結合させる。そして、攪拌槽を交換する際には、支持フレーム一端部の係止を解除して、他端部のヒンジ部を中心として支持フレームごと回動操作させ、支持フレームと一体構造の攪拌羽根や駆動機構等を攪拌槽上位から一時的に排除した後、攪拌槽ごと交換させる。このとき、支持フレームの荷重はヒンジ部にてある程度支えられているため作業者に掛かる負担も軽減され、例え作業員が一人でも容易にかつ効率よく作業を行うことができると共に、作業スペースも比較的抑えることができて好適である。
【実施例】
【００２１】
以下、本発明の実施例を図１〜３に基づいて説明する。
【００２２】
図中の１は、例えば、家屋や建築物等の外壁用に使用される漆喰を建築現場で調整するのに用いられる可搬式の攪拌装置であって、下端部に移動用のキャスター２を有する枠体状の機台３にパン型状の攪拌槽４を搭載していると共に、該攪拌槽４の上位には攪拌槽４を跨がせるように略門形状の支持フレーム５を配しており、該支持フレーム５の両端部に備えた係止クランプ６にて機台３上端部と着脱自在に係止させている。
【００２３】
また、前記支持フレーム５の中心部には所定長さの固定軸７を固着して垂下させていると共に、該固定軸７には略長方形のケーシング構造を有する支持体８を回転自在に軸着している。前記支持体８の長手方向両端部には攪拌羽根９、１０の回転軸９ａ、１０ａをそれぞれ回転自在に軸支して各攪拌羽根９、１０を垂下させており、各攪拌羽根９、１０の先端側を前記攪拌槽４の上部開口部より攪拌槽４内に臨ませている一方、支持体８の一側部には攪拌槽４内の付着材料を掻き取るためのスクレーパ羽根１１を固着しており、支持体８の回転に伴って前記スクレーパ羽根１１の外縁が攪拌槽４内壁に沿って回転するように配している。
【００２４】
混練処理用の攪拌羽根９は、回転軸９ａの下端側を、図に示すように二叉状に形成していると共に、分岐させたそれぞれの下端部には材料の混練処理に有効な平板状のブレード９ｂを固着して成している。また、前記ブレード９ｂは、ブレード９ｂの進行方向前方側から後方側に向けて攪拌槽４底面から漸次離反するように傾斜させた状態にて固定しており、攪拌槽４底部の材料を掻き上げながら効果的に攪拌処理可能なように図っている。
【００２５】
一方、剪断処理用の攪拌羽根１０は、回転軸１０ａ周囲に材料の剪断処理に有効な多数の薄板状のブレード１０ｂを放射状に、かつ上下方向に一定間隔にて固着して成しており、このブレード１０ｂの回転によって材料を細かく剪断処理可能としている。
【００２６】
また、混練処理用の攪拌羽根９の回転軸９ａ上端部には比較的大径の従動ギヤ９ｃを固着している一方、剪断処理用の攪拌羽根１０の回転軸１０ａ上端部には比較的小径の従動ギヤ１０ｃを固着していると共に、これら各従動ギヤ９ｃ、１０ｃと、前記固定軸７下端部に固着している二枚の固定ギヤ７ｃとをそれぞれチェーン１２にて巻回しており、固定軸７を軸心とする支持体８の回転に伴って各攪拌羽根９、１０が攪拌槽４内を公転しつつ、各ギヤ比に応じてそれぞれ所定の回転速度で自転するように構成している。
【００２７】
ここで、本実施例においては図面上、固定軸７の固定ギヤ７ｃと、攪拌羽根９の従動ギヤ９ｃ、及び攪拌羽根１０の従動ギヤ１０ｃとのギヤ比を４：２：１としており、支持体８の回転速度、即ち攪拌羽根９、１０の公転速度に対して、混練処理用の攪拌羽根９はその約２倍の速度で自転させると共に、剪断処理用の攪拌羽根１０は公転速度の約４倍の速度で自転させ、攪拌槽４内の各種材料を高速で細かく剪断しながらじっくりと混練して、ダマ等の塊状物を残さずにムラなく攪拌・混練処理できるように図っている。
【００２８】
なお、固定ギヤ７ｃと、攪拌羽根９の従動ギヤ９ｃ、及び攪拌羽根１０の従動ギヤ１０ｃとのギヤ比は、何ら上記比率に限定されるものではなく、材料の種類、性状等に応じて適宜変更すればよい。また、本実施例においては、固定ギヤ７ｃと、従動ギヤ９ｃ、１０ｃとをそれぞれチェーン１２にて巻回して連動させるように図っているが、直接ギヤ同士を噛合させて連動させることもできる。
【００２９】
支持体８下端部にはリング形状のガイドレール１３を固着し、該ガイドレール１３の下面側には全周に亘ってラック１４を設けている一方、機台３上端部には駆動モータ１５を備え、該駆動モータ１５の駆動軸１６先端にはピニオン１７を固着しており、支持フレーム５を機台３上に係止させたときには、前記駆動モータ１５のピニオン１７がガイドレール１３のラック１４と当接して噛合するようにしている。そして、この状態で駆動モータ１５を駆動させればガイドレール１３と共に支持体８が所定速度で回転し、その支持体８の回転に伴って攪拌槽４内を公転する各攪拌羽根９、１０がそれぞれ所定速度にて自転する構成としている。
【００３０】
このように、攪拌羽根９、１０やスクレーパ羽根１１、及びそれらを支持する支持部８等は、支持フレーム５と一体に備えてユニット化しており、支持フレーム５を機台３から取り外せば攪拌羽根９、１０やスクレーパ羽根１１、及び支持部８等も一緒に攪拌槽４の上位から排除できる構成としている。なお、１８は支持フレーム５を機台３から着脱させる際に作業員が掴むための取っ手１８である。
【００３１】
また、前記攪拌槽４の底部には材料排出用の排出ゲート１９を開閉自在に備え、その下位には排出シュート２０を備えている。また、攪拌槽４の裏面部には、攪拌槽４支持用の支持材２１を固着している一方、機台３の縦枠３ａには、縦枠３ａに沿ってスライド昇降自在な昇降部材２２を備え、これら一対の昇降部材２２に横架材２３を架設しており、前記支持材２１の両端部をこの横架材２３にボルト・ナット２４にて着脱自在に固定している。また、攪拌槽４下位の機台３には、図に示すように、攪拌槽４を通過させることが可能な十分な広さを有する開放スペース２５を設けている。
【００３２】
したがって、攪拌槽４下部の支持材２１を横架材２３に固定した状態で昇降部材２２を昇降動作させることにより、攪拌槽４を図中、実線位置から二点鎖線位置に掛けて高さ調節を可能としていると共に、二点鎖線位置まで引き下ろしたときには攪拌槽４上端縁が少なくとも攪拌羽根９、１０、及びスクレーパ羽根１１の下端部よりも低い位置となるようにしており、そのときにはボルト・ナット２４を外して攪拌槽４下部の支持材２１と横架材２３との固定を解除すれば、攪拌槽４を攪拌羽根９、１０等との干渉もなく容易に水平方向へ引き出せる構成としている。
【００３３】
また、前記攪拌槽４と同構造の攪拌槽（図示せず）を別途１つ以上用意している。
【００３４】
そして、建築現場等において上記構成の攪拌装置１を使用して所望の色の漆喰を調整するときには、先ず、機台３上の攪拌槽４内に漆喰原料と水、及び顔料を所定量ずつ投入した後、駆動モータ１５を駆動して支持体８を所定速度で回転させる。支持体８が回転すると、それに伴って攪拌羽根９、１０とスクレーパ羽根１１とが攪拌槽４内を公転すると共に、固定軸７の固定ギヤ７ｃとチェーン１２にて巻回した各攪拌羽根９、１０の従動ギヤ９ｃ、１０ｃが連動して回転させられ、各攪拌羽根９、１０はそれぞれ所定速度にて自転する。こうして、攪拌槽４内の各種材料は高速で回転する攪拌羽根１０によって剪断されつつ、比較的ゆっくり回転する攪拌羽根９によって混練され、攪拌槽４内の各種材料はダマ等の塊状物を残さずにムラなく好適に攪拌・混練処理され、所望の色を呈する漆喰が調整される。
【００３５】
また、これとは異なる色の漆喰を調整する必要が生じた場合には、排出ゲート１９を開放させて先に調整を終えた漆喰を排出した後、昇降部材２２を下降操作して攪拌槽４を実線位置から、開放スペース２５である二点鎖線位置まで引き下げる。そして、この二点鎖線位置の攪拌槽４下部の支持材２１と、横架材２３とを固定しているボルト・ナット２４の固定を解除して、攪拌槽４を水平方向へスライドさせて開放スペース２５を介して機台３側方へと引き出す。このとき、攪拌槽４の上端縁が少なくとも攪拌羽根９、１０、及びスクレーパ羽根１１の下端部よりも低い位置となるように構成しており、攪拌槽４は攪拌羽根９、１０等と干渉することなく容易に引き出しできる。
【００３６】
こうして、攪拌羽根９、１０、及びスクレーパ羽根１１だけを洗浄処理した後、前記手順で取り外した攪拌槽４に代えて、別途用意しておいた攪拌槽（図示せず）を機台３下部の開放スペース２５に押し込み、ボルト・ナット２４にて横架材２３に締結固定する。そして、その状態で昇降部材２２を上昇操作して前記攪拌槽を二点鎖線位置から、再び実線位置まで引き上げて固定操作する。このときも、前記同様、攪拌槽は攪拌羽根９、１０等と干渉するおそれはない。こうして、交換し終えた攪拌槽内に漆喰原料と水、及び別の色の顔料を投入し、前記同様に攪拌・混練処理を行って所望の色を呈する漆喰を調整する。
【００３７】
このように、攪拌槽４の上位に攪拌羽根９、１０を備え、該攪拌羽根９、１０の先端側を攪拌槽４の上部開口部より攪拌槽４内に臨ませるタイプの攪拌装置１を採用して、攪拌槽４を攪拌羽根９、１０やその駆動機構等と一体構造とせずに別体とすると共に、攪拌槽４を機台３に対して着脱自在とし、かつ攪拌槽４下位の機台３には攪拌槽４の通過ができるだけの十分な広さを有する開放スペース２５を設けたので、攪拌羽根９、１０やその駆動機構等との干渉を避けながら攪拌槽４ごと交換させるといったことが可能となり、建築現場において調整する漆喰の色、或いは種類、性状等を度々変更するような必要が生じても、攪拌槽４ごとの交換作業と、攪拌羽根９、１０やスクレーパ羽根１１のみの簡単な洗浄処理だけで済み、非常に煩わしい攪拌槽４の洗浄処理を不要として効率よく調整作業を行うことが可能となる。また、色、種類、性状別に攪拌槽４を交換することにより異なる色や異なる成分等が混じり合うのを極力抑えられ、調整する漆喰の品質向上が期待できる。更に、洗浄処理時に生じる廃液量を極力抑えることができ、環境面においても好適である。
【００３８】
また、攪拌槽４を交換するにあたり、上記手段に代えて、図４、５に示すように、支持フレーム５を機台３から取り外すようにしてもよい。前記の通り、攪拌槽４上位の攪拌羽根９、１０や、スクレーパ羽根１１、及び支持体８等は支持フレーム５と一体的に備えてユニット化されており、係止クランプ６の固定を解除した後、作業者が取っ手１８を掴んで支持フレーム５を持ち上げて機台３から取り外すと、攪拌槽４の上位から攪拌羽根９、１０や支持体８等の遮蔽物を排除でき、その上でボルト・ナット２４の固定を解除すれば攪拌槽４を容易に交換することができる。また、支持フレーム５ごと攪拌羽根９、１０や支持体８等を機台３から取り外せるので、各種メンテナンス作業もし易くて好適である。
【００３９】
また、前記支持フレーム５の一方の係止クランプ６に代えて、図６に示すように、ヒンジ２６結合させるようにしてもよく、その場合、攪拌槽４を交換するときには、支持フレーム５一端部の係止クランプ６の固定を解除した後、他端部のヒンジ２６を中心として支持フレーム５ごと回動操作させて、攪拌槽４上位から攪拌羽根９、１０や支持体８等を一時的に排除させて開放状態とし、その状態で攪拌槽４ごと交換させる。このとき、支持フレーム５はヒンジ２６を中心として、図中の矢印方向へ回動操作させるだけなので、作業員に掛かる負担も少なく、例え作業員が一人でも容易にかつ効率よく交換作業を行うことができる。また、支持フレーム５を完全に取り外さないので、作業スペースを比較的抑えることができて好適である。
【００４０】
なお、本実施例においては、駆動モータ１５を機台３に備え、支持フレーム５を機台３に係止させたときに駆動モータ１５の駆動力が支持フレーム５の攪拌羽根９、１０に伝わるように構成したが、駆動モータを支持フレーム５側に備えて攪拌羽根９、１０を直接回転駆動させるようにしてもよい。その場合においても、支持フレーム５を機台３から取り外せば、前記同様に、攪拌槽４上位を遮蔽物のない開放状態とすることができる。
【００４１】
また、本実施例においては、攪拌装置として所謂遊星タービンミキサを採用しているが、何らこれに限定するものではなく、攪拌羽根が公転せずにその場で自転するタイプのミキサを採用しても勿論よい。また、攪拌・混練処理して調整する材料として漆喰を例にあげているが、何らこれに限定するものではなく、モルタル等のその他の建築材料や、食品、薬品等、様々なものを調整する場合にも好適に採用できる。
【図面の簡単な説明】
【００４２】
【図１】本発明に係る、攪拌装置の一実施例を示す、一部切り欠き正面図である。
【図２】図１の一部切り欠き側面図である。
【図３】図１の一部切り欠き平面図である。
【図４】支持フレームを取り外した状態を示す図１に相当する図である。
【図５】支持フレームを取り外した状態を示す図３に相当する図である。
【図６】一端部を機台とヒンジ結合した支持フレームを回動させた状態を示す図１に相当する図である。
【符号の説明】
【００４３】
１…可搬式の攪拌装置              ２…キャスター
３…機台                          ４…攪拌槽
５…支持フレーム                  ６…係止クランプ
７…固定軸                        ７ｃ…固定ギヤ
８…支持体                        ９、１０…攪拌羽根
９ａ、１０ａ…回転軸              ９ｂ、１０ｂ…ブレード
９ｃ、１０ｃ…従動ギヤ            １４…ラック
１５…駆動モータ                  １７…ピニオン
２１…支持材                      ２２…昇降部材
２３…横架材                      ２４…ボルト・ナット
２５…開放スペース                ２６…ヒンジ
【図１】
2010005487.tif 000003
【図２】
2010005487.tif 000004
【図３】
2010005487.tif 000005
【図４】
2010005487.tif 000006
【図５】
2010005487.tif 000007
【図６】
2010005487.tif 000008